Podtech/llm-jp-corpus-v4-ja_patent huggingface dataset:
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
水性媒体中の少なくとも１つのほぼ非水溶性のポリマーのコロイド分散液を５〜９０℃の方法温度で電界紡糸するポリマー繊維の製造方法において、前記少なくとも１つのほぼ非水溶性のポリマーは、ＤＳＣにより測定したガラス転移温度Ｔgを有し、前記ガラス転移温度は、前記方法温度を最大１５℃上回る〜前記方法温度を最大１５℃下回る範囲内にあることを特徴とする、ポリマー繊維の製造方法。
【請求項２】
少なくとも１つのほぼ非水溶性のポリマーは、少なくとも−１０℃〜最大１０５℃の範囲内のＴgを有し、前記ポリマーのＴgは、方法温度を最大１５℃上回る〜前記方法温度を最大１５℃下回る範囲内にあることを特徴とする、請求項１記載の方法。
【請求項３】
前記の少なくとも１つのほぼ非水溶性のポリマーは、芳香族ビニル化合物の単独重合体及び共重合体、アルキルアクリラートの単独重合体及び共重合体、アルキルメタクリラートの単独重合体及び共重合体、α−オレフィンの単独重合体及び共重合体、脂肪族ジエンの単独重合体及び共重合体、ビニルハロゲン化物の単独重合体及び共重合体、酢酸ビニルの単独重合体及び共重合体、アクリルニトリルの単独重合体及び共重合体、ウレタンの単独重合体及び共重合体、ビニルアミドの単独重合体及び共重合体及び前記ポリマーを形成するモノマー単位の２種以上から構成されるコポリマーからなるグループから選択されることを特徴とする、請求項１又は２記載の方法。
【請求項４】
前記の少なくとも１つのほぼ非水溶性のポリマーは、スチレン／アルキルアクリラートコポリマー及びスチレン／アルキルメタクリラートコポリマーから選択されることを特徴とする、請求項３記載の方法。
【請求項５】
前記の少なくとも１つのほぼ非水溶性のポリマーは、コロイド分散液中で未架橋の形、部分的に架橋された形又は完全に架橋された形で使用することを特徴する、請求項１から４までのいずれか１項記載の方法。
【請求項６】
少なくとも１つのほぼ非水溶性のポリマーの重量平均粒子径は、１ｍｍ〜２．５μｍであることを特徴とする、請求項１から５までのいずれか１項記載の方法。
【請求項７】
コロイド分散液は、水中で少なくとも０．１質量％の溶解度を有する付加的に少なくとも１つの水溶性ポリマーを含有することを特徴とする、請求項１から６までのいずれか１項記載の方法。
【請求項８】
前記水溶性ポリマーは、ホモポリマー、コポリマー、グラフトコポリマー、星形ポリマー、高分枝ポリマー及びデンドリマーからなるグループから選択されることを特徴とする、請求項７記載の方法。
【請求項９】
前記水溶性ポリマーは、ポリビニルアルコール、ポリビニルホルムアミド、ポリビニルアミン、ポリカルボン酸、ポリアクリルアミド、ポリイタコン酸、ポリ（２−ヒドロキシエチルアクリラート）、ポリ（Ｎ−イソプロピルアクリルアミド）、ポリスルホン酸、ポリメタクリルアミド、ポリアルキレンオキシド；ポリ−Ｎ−ビニルピロリドン；ヒドロキシメチルセルロース；ヒドロキシエチルセルロース；ヒドロキシプロピルセルロース；カルボキシメチルセルロース；マレイン酸；アルギナート；コラーゲン；ゼラチン、ポリ（エチレンイミン）、ポリスチレンスルホン酸；前記ポリマーを形成する２種以上のモノマー単位から構成された組合せ物、前記ポリマーを形成する２種以上のモノマー単位から構成されたコポリマー、前記ポリマーを形成する２種以上のモノマー単位から構成されたグラフトコポリマー、前記ポリマーを形成する２種以上のモノマー単位から構成された星形ポリマー、前記ポリマーを形成する２種以上のモノマー単位から構成された高分枝ポリマー及び前記ポリマーを形成する２種以上のモノマー単位から構成されたデンドリマーからなるグループから選択される特徴とする、請求項７又は８記載の方法。
【請求項１０】
コロイド分散液の固体含有量は、前記分散液の全体の質量に対して、５〜６０質量％であることを特徴とする、請求項１から９までのいずれか１項記載の方法。
【請求項１１】
コロイド分散液は、分散液の全体の質量に対して、水溶性ポリマー０〜２５質量％を含有することを特徴とする、請求項１から１０までのいずれか１項記載の方法。
【請求項１２】
請求項１から１１までのいずれか１項記載の方法により得られた繊維。
【請求項１３】
繊維が１０ｎｍ〜５０μｍの直径を有することを特徴とする、請求項１２記載の繊維。
【請求項１４】
繊維が少なくとも５０μｍの長さを有することを特徴とする、請求項１２又は１３記載の繊維。
【請求項１５】
請求項１２から１４までのいずれか１項記載の繊維を含有する繊維布。
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
式の化合物
【化１】
2010533722.tif 000001
（式中、
ｑは１または２であり、
Ｒ１はクロロ、フルオロ、またはトリフルオロメトキシであり、
Ｒ２は水素、クロロ、フルオロ、またはトリフルオロメトキシであり、
Ｒ３ｂはトリフルオロメチル、シクロプロピル、またはイソプロピルであり、
ＸはＣまたはＮであり、ただし、ＸがＣである場合、ｑは１であり、
Ａｒ１は、各々がメチルまたはフェニルで任意に置換されたベンゾイソチアゾリル、ベンゾチエニル、インダゾリル、インドリル、ナフチル、フェニルおよびピリジニルからなる群より選択される）
またはその薬理学的に許容できる塩もしくは鏡像異性体。
【請求項２】
５−｛４−［５−シクロプロピル−３−（２，６−ジクロロ−フェニル）−イソオキサゾール−４−イルメトキシ］−ピペリジン−１−イル｝−ビフェニル−２−カルボン酸、
５−｛４−［５−シクロプロピル−３−（２−トリフルオロメトキシ−フェニル）−イソオキサゾール−４−イルメトキシ］−ピペリジン−１−イル｝−ビフェニル−２−カルボン酸、
５−｛４−［３−（２，６−ジクロロ−フェニル）−５−イソプロピル−イソオキサゾール−４−イルメトキシ］−ピペリジン−１−イル｝−ビフェニル−２−カルボン酸、
４−｛４−［３−（２，６−ジクロロ−フェニル）−５−イソプロピル−イソオキサゾール−４−イルメトキシ］−ピペリジン−１−イル｝−ナフタレン−１−カルボン酸、
４−｛４−［５−シクロプロピル−３−（２，６−ジクロロ−フェニル）−イソオキサゾール−４−イルメトキシ］−ピペリジン−１−イル｝−３−メチル−安息香酸、
４−｛４−［５−イソプロピル−３−（２−トリフルオロメトキシ−フェニル）−イソオキサゾール−４−イルメトキシ］−ピペリジン−１−イル｝−安息香酸、
４−｛４−［５−シクロプロピル−３−（２，６−ジクロロ−フェニル）−イソオキサゾール−４−イルメトキシ］−ピペリジン−１−イル｝−安息香酸、
４−｛４−［５−シクロプロピル−３−（２−トリフルオロメトキシ−フェニル）−イソオキサゾール−４−イルメトキシ］−ピペリジン−１−イル｝−２−メチル−安息香酸、
４−｛４−［５−シクロプロピル−３−（２，６−ジクロロ−フェニル）−イソオキサゾール−４−イルメトキシ］−ピペリジン−１−イル｝−２−メチル−安息香酸、
４−｛４−［３−（２，６−ジクロロ−フェニル）−５−イソプロピル−イソオキサゾール−４−イルメトキシ］−ピペリジン−１−イル｝−２−メチル−安息香酸、
４−｛４−［３−（２，６−ジクロロ−フェニル）−５−イソプロピル−イソオキサゾール−４−イルメトキシ］−ピペリジン−１−イル｝−安息香酸、
６−｛４−［３−（２，６−ジクロロ−フェニル）−５−イソプロピル−イソオキサゾール−４−イルメトキシ］−ピペリジン−１−イル｝−１−メチル−１Ｈ−インドール−３−カルボン酸、
６−｛４−［３−（２，６−ジクロロ−フェニル）−５−イソプロピル−イソオキサゾール−４−イルメトキシ］−ピペリジン−１−イル｝−ベンゾ［ｂ］チオフェン−３−カルボン酸、
６−｛４−［５−シクロプロピル−３−（２−トリフルオロメトキシ−フェニル）−イソオキサゾール−４−イルメトキシ］−ピペリジン−１−イル｝−１−メチル−１Ｈ−インドール−３−カルボン酸、
６−｛４−［５−シクロプロピル−３−（２，６−ジクロロ−フェニル）−イソオキサゾール−４−イルメトキシ］−ピペリジン−１−イル｝−１−メチル−１Ｈ−インドール−３−カルボン酸、
６−｛４−［５−シクロプロピル−３−（２，６−ジクロロ−フェニル）−イソオキサゾール−４−イルメトキシ］−ピペリジン−１−イル｝−ベンゾ［ｂ］チオフェン−３−カルボン酸、
４−［５−シクロプロピル−３−（２，６−ジクロロ−フェニル）−イソオキサゾール−４−イルメトキシ］−３，４，５，６−テトラヒドロ−２Ｈ−［１，２’］ビピリジニル−５’−カルボン酸、
４−｛４−［３−（２，６−ジクロロ−フェニル）−５−イソプロピル−イソオキサゾール−４−イルメトキシ］−ピペリジン−１−イル｝−３−メチル−安息香酸、
４−｛４−［５−シクロプロピル−３−（２，６−ジクロロ−フェニル）−イソオキサゾール−４−イルメトキシ］−アゼパン−１−イル｝−安息香酸、
６−｛４−［５−シクロプロピル−３−（２，６−ジクロロ−フェニル）−イソオキサゾール−４−イルメトキシ］−アゼパン−１−イル｝−１−メチル−１Ｈ−インドール−３−カルボン酸、
６−｛４−［５−シクロプロピル−３−（２，６−ジクロロ−フェニル）−イソオキサゾール−４−イルメトキシ］−アゼパン−１−イル｝−ベンゾ［ｂ］チオフェン−３−カルボン酸、
トランス−４−｛４−［５−シクロプロピル−３−（２，６−ジクロロ−フェニル）−イソオキサゾール−４−イルメトキシ］−シクロヘキシル｝−安息香酸、
トランス−４−｛４−［５−シクロプロピル−３−（２−トリフルオロメトキシ−フェニル）−イソオキサゾール−４−イルメトキシ］−シクロヘキシル｝−安息香酸、
トランス−６−｛４−［５−シクロプロピル−３−（２−トリフルオロメトキシ−フェニル）−イソオキサゾール−４−イルメトキシ］−シクロヘキシル｝−１−メチル−１Ｈ−インドール−３−カルボン酸、および
シス−６−｛４−［５−シクロプロピル−３−（２−トリフルオロメトキシ−フェニル）−イソオキサゾール−４−イルメトキシ］−シクロヘキシル｝−１−メチル−１Ｈ−インドール−３−カルボン酸からなる群より選択される、請求項１に記載の化合物、あるいはその薬理学的に許容できる塩または鏡像異性体。
【請求項３】
化合物４−｛４−［５−シクロプロピル−３−（２，６−ジクロロ−フェニル）−イソオキサゾール−４−イルメトキシ］−アゼパン−１−イル｝−安息香酸
【化２】
2010533722.tif 000002
あるいはその薬理学的に許容できる塩または鏡像異性体。
【請求項４】
化合物トランス−４−｛４−［５−シクロプロピル−３−（２，６−ジクロロ−フェニル）−イソオキサゾール−４−イルメトキシ］−シクロヘキシル｝−安息香酸
【化３】
2010533722.tif 000003
あるいはその薬理学的に許容できる塩または鏡像異性体。
【請求項５】
化合物６−｛４−［５−シクロプロピル−３−（２，６−ジクロロ−フェニル）−イソオキサゾール−４−イルメトキシ］−ピペリジン−１−イル｝−１−メチル−１Ｈ−インドール−３−カルボン酸
【化４】
2010533722.tif 000004
あるいはその薬理学的に許容できる塩または鏡像異性体。
【請求項６】
請求項１〜５のいずれか１項に記載の化合物、および担体、希釈剤、または賦形剤を含む、医薬組成物。
【請求項７】
治療に使用するための請求項１〜５のいずれか１項に記載の化合物。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
式（Ｉ）
2010533758.tif 000001
及び／又は式（ＩＩ）
2010533758.tif 000002
（ここで、ｎは整数であり、Ｘ−は無機又は有機の薬学的に許容可能なアニオン、例えばハライド、リン酸、亜リン酸、炭酸、重炭酸、硫酸、重硫酸、水酸化物、硝酸、過硫酸、亜硫酸、硫化物、酢酸、アスコルビン酸、安息香酸、クエン酸、クエン酸二水素、クエン酸水素、シュウ酸、コハク酸、酒石酸、タウロコール酸、グリココール酸、又はコール酸アニオンである）
の反復単位を含む架橋ポリマー又はその塩の調製方法であって、
酸の存在下でアリルアミンを、少なくとも一の適切な溶媒中で、式（ＩＶ）
2010533758.tif 000003
の架橋剤又はその塩及び適切なラジカル開始剤と反応させることを含む方法。
【請求項２】
式（ＩＶ）の架橋剤／アリルアミン比が、約５％から約５０％ｗｔ％、好ましくは約１０％から約３０％ｗｔ％、より好ましくは約２０％から約３０％ｗｔ％である請求項１に記載の方法。
【請求項３】
式（ＩＶ）の化合物の塩が、ハロゲン化物、リン酸塩、亜リン酸塩、炭酸塩、重炭酸塩、硫酸塩、重硫酸塩、水酸化物、硝酸塩、過硫酸塩、亜硫酸塩、硫化物、酢酸塩、アスコルビン酸塩、安息香酸塩、クエン酸塩、クエン酸二水素、クエン酸水素、シュウ酸塩、コハク酸塩、酒石酸塩、タウロコール酸塩、グリココール酸塩、及びコール酸塩からなる群から選択される無機又は有機塩である請求項１に記載の方法。
【請求項４】
上記塩は二塩酸塩である請求項２に記載の方法。
【請求項５】
ラジカル開始剤がアゾ化合物又は無機又は有機過酸化物である請求項１から４の何れか一項に記載の方法。
【請求項６】
溶媒が水／アセトニトリルの混合物である請求項１から５の何れか一項に記載の方法。
【請求項７】
反応混合物に少なくとも適切な界面活性剤を添加することを更に含む請求項１から５の何れか一項に記載の方法。
【請求項８】
最終の架橋ポリ（アリルアミン）ポリマーを塩基、例えばＮａＯＨ、Ｎａ２ＣＯ３、ＮａＨＣＯ３、ＫＯＨ、Ｋ２ＣＯ３、ＫＨＣＯ３、好ましくはＮａＯＨ又はＮａ２ＣＯ３で処理することを更に含む請求項１から７の何れか一に記載の方法。
【請求項９】
架橋ポリマーがセベラマーである請求項１から８の何れか一項に記載の方法。
【請求項１０】
得られた粒子の少なくとも９０重量％が、３５０μｍより小さく、好ましくは３００μｍより小さく、より好ましくは２６０μｍより小さく、より好ましくは２００μｍより小さいサイズを有する請求項９に記載の方法。
【請求項１１】
請求項１から１０の何れか一項の方法によって製造される架橋ポリマー又はその塩。
【請求項１２】
塩化物イオンの含有量が０．１％より低い請求項１から１０の何れか一項の方法で製造される架橋ポリマー。
【請求項１３】
１６から１８ｍＥｑ／ｇの間からなるリン酸結合能を持つ請求項１から１０の何れか一項の方法で製造される架橋ポリマー。
【請求項１４】
患者からリン酸を除去するための請求項１から１０の何れか一項に記載の方法で製造される架橋ポリマー又はその塩。
【請求項１５】
患者からのリン酸を除去し、及び／又は代謝性アシドーシスを治療するための請求項１から１０の方法で製造される架橋ポリマーの炭酸塩。
【請求項１６】
コレセベラムの合成における中間体としての、請求項１から１０の何れか一項の方法に従って製造した架橋ポリマー又はその塩の使用。
【請求項１７】
患者から胆汁酸塩を除去するための医薬の製造のための中間体としての、請求項１から１０の何れか一項に記載の方法によって製造された架橋ポリマー又はその塩の使用。
【請求項１８】
３５０μｍより小さく、好ましくは３００μｍより小さく、より好ましくは２６０μｍより小さく、より好ましくは２００μｍより小さいサイズを有する少なくとも９０重量％の粒子を有する請求項１から１０の何れか一項に記載の方法によって製造された架橋ポリマー又はその塩を、場合によっては少なくとも一の薬学的に許容可能な賦形剤と共に含有する薬学的製剤。
【請求項１９】
式（ＩＶ）
2010533758.tif 000004
の化合物、又はその水和物、溶媒和物、塩。
【請求項２０】
請求項１９に記載の化合物の調製方法であって、
式（Ｖ）
2010533758.tif 000005
（上式中、Ｒは、メチル、ｐ−トリル、ナフチルである）
の化合物又は式（ＶＩ）
2010533758.tif 000006
（上式中、Ｘは塩素、臭素、ヨウ素である）
の化合物を、少なくとも適切な溶媒中で、適切な温度で、アリルアミンと反応させることを含む方法。
【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
凹版印刷用インキ組成物であって、アルキド樹脂、および、合成または天然由来の変性アルキド樹脂よりなる群から選択される少なくとも一つの酸化硬化性主要物質を、印刷用インキ組成物の全重量の２０から５０重量％の間の量と、少なくとも一つのＵＶ硬化性アクリレートを、印刷用インキ組成物の全重量の２から１５重量％の間の量と、融点または融解範囲が、５０から１２０℃の間である少なくとも一つの可溶性ワックスを、印刷用インキ組成物の全重量の１０重量％以下と、少なくとも一つの酸化重合型ドライヤーと、少なくとも一つの光開始剤とを含む、凹版印刷用インキ組成物。
【請求項２】
コーンプレートジオメトリー上で１０００ｓ-1および４０℃で測定した粘度が、約１から４０Ｐａ・ｓの範囲である、請求項１に記載の凹版印刷用インキ組成物。
【請求項３】
前記酸化硬化性アルキド樹脂、および、合成または天然由来の変性アルキド樹脂は、フェノール変性アルキド樹脂、エポキシ変性アルキド樹脂、ウレタン変性アルキド樹脂、シリコーン変性アルキド樹脂、アクリル変性アルキド樹脂、およびビニル変性アルキド樹脂、中和酸アルキド、および乾性植物油よりなる群から選択される、請求項１または２に記載の凹版印刷用インキ組成物。
【請求項４】
前記ＵＶ硬化性アクリレートは、アミノアクリレート、エポキシアクリレート、ポリエステルアクリレート、ウレタンアクリレート、自己光開始性オリゴマーアクリレート、デンドリマーアクリレート、およびこれらの混合物よりなる群から選択される、請求項１〜３のいずれかに記載の凹版印刷用インキ組成物。
【請求項５】
前記可溶性ワックスは、精製モンタンワックス、モンタン酸、モンタンアミド、モンタンエステル、または変性またはけん化モンタンワックス、カルナバワックス、長鎖エステルワックス、およびこれらの混合物よりなる群から選択される、請求項１〜４のいずれかに記載の凹版印刷用インキ組成物。
【請求項６】
前記酸化重合型ドライヤーが遷移金属塩および印刷用インキに可溶性の他の化学元素を基礎とする、請求項１〜５のいずれかに記載の凹版印刷用インキ組成物。
【請求項７】
前記ドライヤーが、前記印刷用インキ組成物の全重量の、５重量％以下で存在する、請求項１〜６のいずれかに記載の凹版印刷用インキ組成物。
【請求項８】
前記光開始剤が、α−アミノケトン、α−ヒドロキシケトン、フォスフィンオキシド、チオキサントン、オリゴマーチオキサントン、オリゴマーアミノ安息香酸、およびオリゴマーベンゾフェノンよりなる群から選ばれる、請求項１〜７のいずれかに記載の凹版印刷用インキ組成物。
【請求項９】
前記光開始剤が、前記印刷用インキの重量の５％以下で、前記インキ内に含まれる、請求項８に記載の凹版印刷用インキ組成物。
【請求項１０】
さらに、光開始剤安定剤を、前記印刷用インキ組成物の全重量の、３％以下の量で含む、請求項１〜９のいずれかに記載の凹版印刷用インキ組成物。
【請求項１１】
ａ）３本ロールミルで、アルキド樹脂、および、合成または天然由来の変性アルキド樹脂よりなる群から選択される少なくとも一つの酸化重合硬化性物質と、少なくとも一つのＵＶ硬化性アクリレートと、融点または融解範囲が、５０から１２０℃の間である少なくとも一つの可溶性ワックスとを、均一な分散系を得るために、一緒にすりつぶす工程と、
ｂ）３本ロールミルで、アルキド樹脂、および、合成または天然由来の変性アルキド樹脂よりなる群から選択される少なくとも一つの酸化重合硬化性物質と、少なくとも一つの顔料とを、均一な分散系を得るために、一緒にすりつぶす工程と、
ｃ）工程ａ）の分散系と、工程ｂ）の分散系と、酸化型ドライヤーと、光開始剤とを、本発明の印刷用インキを得るために、一緒に混合してすりつぶす工程とを含み、
前記酸化硬化性主要物質が、前記印刷用インキの全重量の２０から５０重量％の間の量で存在し、前記ＵＶ硬化性物質が、前記印刷用インキの全重量の２から１５重量％の間の量で存在し、前記可溶性ワックスが、前記印刷用インキの全重量の１０重量％以下で存在する、請求項１から１０のいずれかに記載の凹版印刷用インキ組成物の製造プロセス。
【請求項１２】
ＵＶ硬化性アクリレートおよび顔料との相溶性をそれぞれ確保するために、工程ａ）で第一の酸化重合硬化性アルキド樹脂を用い、工程ｂ）で第２の異なる酸化重合硬化性アルキド樹脂を用いる、請求項１１に記載のプロセス。
【請求項１３】
セキュリティー書類または価値のある書類、特にパスポート、身分証明書類、運転免許、紙幣、株券、税のバンデロール（tax banderole）、印紙、およびセキュリティラベル
を印刷するための、請求項１から１０のいずれかに記載の凹版印刷用インキ組成物の使用。
【請求項１４】
ａ）インキの温度を室温から印刷版温度および室温に戻して循環させて、前記インキを基板に凹版印刷する工程と、
ｂ）前記印刷操作の後に続いて、印刷された書類にＵＶ放射を受けさせる工程と、
ｃ）酸化硬化を可能とするために、前記印刷された書類を数日間保管する工程とを含む、請求項１〜１０のいずれか１項に記載の凹版印刷用インキを使用する凹版印刷方法。
【請求項１５】
請求項１〜１０のいずれか１項に記載の凹版印刷用インキ組成物で作製された印、好ましくは請求項１４に記載の方法で作製された印を含む、セキュリティ書類または価値のある書類、特にパスポート、身分証明書、運転免許、紙幣、株券、税のバンデロール（tax banderole）、印紙、またはセキュリティラベル。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
（a）非エチレン結合性エチレン受容体ポリペプチドが、SEQ
ID NO:6と少なくとも95％同一の配列を含み、ここで102位のアミノ酸がシステインではなく：かつ
（b）非エチレン結合性エチレン受容体ポリペプチドの発現が、植物における緑色保持（staygreen）表現型をもたらす、
非エチレン結合性エチレン受容体ポリペプチドをコードする単離されたポリヌクレオチド。
【請求項２】
ポリペプチド配列がSEQ ID NO:6である、請求項1記載のポリヌクレオチド。
【請求項３】
SEQ ID NO:5の配列を含む、請求項1記載のポリヌクレオチド。
【請求項４】
請求項1記載のポリヌクレオチドに機能的に連結されたプロモーター配列を含む、組換え発現カセット。
【請求項５】
緑色保持表現型を有する、請求項4記載の発現カセットを含むトランスジェニック植物。
【請求項６】
穀類植物である、請求項5記載のトランスジェニック植物。
【請求項７】
トウモロコシである、請求項5記載のトランスジェニック植物。
【請求項８】
（a）プロモーターに機能的に連結された請求項1記載の単離されたポリヌクレオチドを含む発現カセットを導入する工程；および
（b）低下したエチレン感受性を有する植物を選択する工程
を含む、植物におけるエチレン感受性を低下させる方法。
【請求項９】
（a）プロモーターに機能的に連結された請求項1記載の単離されたポリヌクレオチドを含む発現カセットを導入する工程；および
（b）緑色保持特徴を有する植物を選択する工程
を含む、植物における緑色保持表現型を生じさせる方法。
【請求項１０】
植物が、増加した光合成能に基づき選択される、請求項9記載の方法。
【請求項１１】
植物が単一種子中の多胚表現型に基づき選択される、請求項9記載の方法。
【請求項１２】
植物が老化遅延に基づき選択される、請求項9記載の方法。
【請求項１３】
植物がバイオマーカーの検出に基づき選択される、請求項9記載の方法。
【請求項１４】
植物が穀類植物である、請求項9記載の方法。
【請求項１５】
植物がトウモロコシである、請求項9記載の方法。
【手続補正２】
【補正対象書類名】明細書
【補正対象項目名】００１５
【補正方法】変更
【補正の内容】
【００１５】
本発明のその他の目的、利点、および態様は、以下の詳細な説明を参照することにより明白になると思われる。
[請求項1001]
（a）非エチレン結合性エチレン受容体ポリペプチドが、SEQ
ID NO:2、SEQ ID NO:4、およびSEQ ID NO:6からなる群より選択される配列と少なくとも95％同一の配列を含み：かつ
（b）非エチレン結合性エチレン受容体ポリペプチドの発現が、植物における緑色保持（staygreen）表現型をもたらす、
非エチレン結合性エチレン受容体ポリペプチドをコードする単離されたポリヌクレオチド。
[請求項1002]
ポリペプチド配列がSEQ ID NO:2である、請求項1001記載のポリヌクレオチド。
[請求項1003]
ポリペプチド配列がSEQ ID NO:4である、請求項1001記載のポリヌクレオチド。
[請求項1004]
ポリペプチド配列がSEQ ID NO:6である、請求項1001記載のポリヌクレオチド。
[請求項1005]
SEQ ID NO:1の配列を含む、請求項1001記載のポリヌクレオチド。
[請求項1006]
SEQ ID NO:3の配列を含む、請求項1001記載のポリヌクレオチド。
[請求項1007]
SEQ ID NO:5の配列を含む、請求項1001記載のポリヌクレオチド。
[請求項1008]
請求項1001記載のポリヌクレオチドに機能的に連結されたプロモーター配列を含む、組換え発現カセット。
[請求項1009]
緑色保持表現型を有する、請求項1008記載の発現カセットを含むトランスジェニック植物。
[請求項1010]
穀類植物である、請求項1009記載のトランスジェニック植物。
[請求項1011]
トウモロコシである、請求項1009記載のトランスジェニック植物。
[請求項1012]
（a）プロモーターに機能的に連結された請求項1001記載の単離されたポリヌクレオチドを含む発現カセットを導入する工程；および
（b）低下したエチレン感受性を有する植物を選択する工程
を含む、植物におけるエチレン感受性を低下させる方法。
[請求項1013]
（a）プロモーターに機能的に連結された請求項1001記載の単離されたポリヌクレオチドを含む発現カセットを導入する工程；および
（b）緑色保持特徴を有する植物を選択する工程
を含む、植物における緑色保持表現型を生じさせる方法。
[請求項1014]
植物が、増加した光合成能に基づき選択される、請求項1013記載の方法。
[請求項1015]
植物が単一種子中の多胚表現型に基づき選択される、請求項1013記載の方法。
[請求項1016]
植物が老化遅延に基づき選択される、請求項1013記載の方法。
[請求項1017]
植物がバイオマーカーの検出に基づき選択される、請求項1013記載の方法。
[請求項1018]
植物が穀類植物である、請求項1013記載の方法。
[請求項1019]
植物がトウモロコシである、請求項1013記載の方法。
【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
コンピュータに実装される方法であって、
３次元（３Ｄ）環境内で歯の少なくとも一部のデジタル表現をレンダリングする工程と、
前記３Ｄ環境内における、前記歯のデジタル表現に対する歯科矯正装具の少なくとも一部のデジタル表現の位置を割り出す工程と、
結合マトリックスの少なくとも一部の厚みを割り出す工程と、
前記歯科矯正装具の位置に基づき、前記３Ｄ環境内で、前記結合マトリックスのデジタル表現をレンダリングする工程と、を含む方法。
【請求項２】
コンピューティングデバイスと、
前記コンピューティングデバイス上で実行されるモデリングソフトウェアと、を含むシステムであって、前記モデリングソフトウェアが、
３次元（３Ｄ）環境内で、歯の少なくとも一部及び結合マトリックスの少なくとも一部のデジタル表現をレンダリングするレンダリングエンジンと、
前記３Ｄ環境内で、前記歯のデジタル表現に対する歯科矯正装具の位置を自動的に計算する歯科矯正装具制御モジュールと、
前記歯科矯正装具の位置に基づき、前記結合マトリックスの少なくとも一部の厚みを割り出す結合マトリックス計算モジュールと、を含む、システム。
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
構造化研磨物品であって、
第１主表面及び前記第１主表面と対向する第２主表面を有する裏材；
前記裏材に固定されたトポグラフィカル構造化研磨層であって、前記トポグラフィカル構造化研磨層が、精密形状の研磨剤複合体を含み、前記精密形状の研磨剤複合体が、架橋ポリマー結合剤の中に研磨剤粒子を含み、前記研磨剤粒子が所定のＤ５０を有する、トポグラフィカル構造化研磨層；及び、
前記トポグラフィカル構造化研磨層の少なくとも一部の上に配置された固体被覆層であって、前記固体被覆層は、モース硬度が少なくとも４の削剥粒子と水溶性ポリマーとを含み、前記削剥粒子が、前記研磨剤粒子のＤ５０以下の所定のＤ５０を有する固体被覆層；
を備える、構造化研磨物品。
【請求項２】
加工物の研磨方法であって、
請求項１に記載の構造化研磨物品の前記トポグラフィカル構造化研磨層の少なくとも一部を、水の存在下で加工物と摩擦接触させる工程と、
前記加工物又は前記トポグラフィカル構造化研磨層のうち少なくとも一方を、他方に対して相対的に移動させて、前記加工物の表面の少なくとも一部を研磨する工程と、
を含む、加工物の研磨方法。
【請求項３】
構造化研磨物品の製造方法であって、前記方法が、
構造化研磨物品を提供する工程であって、
第１主表面及び前記第１主表面と対向する第２主表面を有する裏材と、
前記裏材に固定されたトポグラフィカル構造化研磨層であって、精密形状の研磨剤複合体を含み、前記精密形状の研磨剤複合体類が架橋ポリマー結合剤の中に研磨剤粒子を含み、かつ、前記研磨剤粒子が所定のＤ５０を有する、トポグラフィカル構造化研磨層と、
を含む、構造化研磨物品を提供する工程と；
前記トポグラフィカル構造化研磨層の少なくとも一部の上に固体被覆層を配置する工程であって、前記固体被覆層が、モース硬度が少なくとも４の削剥粒子と水溶性ポリマーとを含み、前記削剥粒子が、前記研磨剤粒子のＤ５０以下の所定のＤ５０を有する固体被覆層を配置する工程と；
を含む、構造化研磨物品の製造方法。
【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
玩具についてテーマ別データを作成するオーサリングツールであって、
前記特定のテーマに関係するスクリプト作成データと、前記玩具の前記性格を定義している表現データの両方を別々に含むコンテンツ及びを受信するようになっている、特定のテーマに関係するコンテンツを受信する手段と、
前記スクリプト作成データと、前記表現データの両方を含む前記コンテンツを処理して前記特定のテーマ内の前記玩具を操作する１組の命令を生成する手段と、
前記１組の命令を出力する手段と
を含むことを特徴とするオーサリングツール。
【請求項２】
前記受信手段が、離散的部分単位でコンテンツを受信するようになっていることを特徴とする請求項１に記載のオーサリングツール。
【請求項３】
各表現データ部分に独自のＩＤ番号を割り当てる手段を更に含むことを特徴とする請求項２に記載のオーサリングツール。
【請求項４】
前記処理手段が、前記１組の命令の前記表現データ部分の参照事項として前記独自のＩＤ番号を利用するようになっていることを特徴とする請求項３に記載のオーサリングツール。
【請求項５】
前記表現データが、テーマ名、前記玩具の名前、及び対話するために前記玩具により使用される文のうちの少なくとも１つを含むことを特徴とする請求項１から請求項４のいずれかに記載のオーサリングツール。
【請求項６】
前記スクリプト作成データが、テーマ内で対話することができる玩具の数、対話の方法、テーマ関連のパラメータ及び玩具関連のパラメータのうちの少なくとも１つを含み、好ましくは、対話の前記方法が、玩具間で遷移する方法、前記表現データを出力する方法、及び前記テーマ別データの異なる各部に分岐の方法うちのの少なくとも１つであることを特徴とする請求項１から請求項５のいずれかに記載のオーサリングツール。
【請求項７】
アレイ内に特定のテーマに関係する前記スクリプト作成データ及び表現データを共に格納する手段を更に含むことを特徴とする請求項１から請求項６のいずれかに記載のオーサリングツール。
【請求項８】
前記処理手段が、前記アレイから前記１組の命令を生成するようになっていることを特徴とする請求項７に記載のオーサリングツール。
【請求項９】
前記処理手段が、前記表現データの少なくとも一部を含む少なくとも１つのリストをコンパイルする手段を含むことを特徴とする請求項１から請求項８のいずれかに記載のオーサリングツール。
【請求項１０】
前記リストコンパイル手段が、前記特定のテーマ内の各玩具についてそれぞれのリストをコンパイルするようになっていることを特徴とする請求項９に記載のオーサリングツール。
【請求項１１】
前記表現データが、シンボルデータであることを特徴とする請求項１から請求項１０のいずれかに記載のオーサリングツール。
【請求項１２】
前記シンボルデータの制定データバージョンを記録する記録手段を更に含むことを特徴とする請求項１１に記載のオーサリングツール。
【請求項１３】
参加者に制定データの前記必要な部分を生成するように促す手段を更に含むことを特徴とする請求項１２に記載のオーサリングツール。
【請求項１４】
前記プロセッサが、前記シンボルデータと制定データの間でルックアップテーブルを生成するようになっていることを特徴とする請求項１２又は請求項１３に記載のオーサリングツール。
【請求項１５】
前記処理手段が、前記表現データを出力するようになっていることを特徴とする請求項１から請求項１４のいずれかに記載のオーサリングツール。
【請求項１６】
前記処理手段が、更に、前記表現データ及び１組の命令を別個に出力するようになっていることを特徴とする請求項に記載１５のオーサリングツール。
【請求項１７】
前記処理手段が、前記玩具の前記基底関数を制御する命令の基本セットと、前記テーマ内の前記玩具を制御する命令の前記基本セットに関する命令のテーマ別セットとを含む１組の命令を生成するようになっていることを特徴とする請求項１から請求項１６のいずれかに記載のオーサリングツール。
【請求項１８】
前記プロセッサが、命令の前記基本セット及び前記テーマ別セットを共に結合するようになっていることを特徴とする請求項１７に記載のオーサリングツール。
【請求項１９】
コンパイラを更に含むことを特徴とする請求項１７又は請求項１４に記載のオーサリングツール。
【請求項２０】
前記コンパイラが、命令の前記基本セット及び前記テーマ別セットをコンパイルするようになっていることを特徴とする請求項１９に記載のオーサリングツール。
【請求項２１】
前記プロセッサが、前記１組の命令をコンピュータ可読コードに変換するようになっている符号化エンジンを含むことを特徴とする前出請求項のいずれかに記載のオーサリングツール。
【請求項２２】
玩具についてテーマ別データを作成するオーサリングツール用ユーザインターフェイスであって、
テーマに関係するコンテンツの特定のサブセットの入力に対応するユーザに１組の入力ウィンドウを供給する手段と、
前記テーマ別データの出力を開始する手段と
を含むことを特徴とするユーザインターフェイス。
【請求項２３】
コンテンツの前記サブセットが、テーマ関連のデータ、玩具関連のデータ及びコンテキスト関連のデータの少なくとも１つを含むことを特徴とする請求項２２に記載のユーザインターフェイス。
【請求項２４】
前記コンテキスト関連のデータが、対話するために前記玩具により使用される文、対話の方法、テーマ関連のパラメータ及び玩具関連のパラメータの少なくとも１つを含むことを特徴とする請求項２３に記載のユーザインターフェイス。
【請求項２５】
玩具についてテーマ別データを生成するシステムであって、
前記テーマ別データにアクセス、作成、及び編集するオーサリングツールと、
前記テーマ別データを格納する、データベースを含むサーバと
を含み、
前記オーサリングツールが、インターネットを介して前記テーマ別データにアクセスするようになっている
ことを特徴とするシステム。
【請求項２６】
前記オーサリングツールが、前記テーマ別データにアレイ内に処理するようになっており、前記データベースが、前記アレイで前記テーマ別データを格納するようになっていることを特徴とする請求項２５に記載のシステム。
【請求項２７】
前記オーサリングツールが、請求項１から請求項２１のいずれかに記載のオーサリングツールであることを特徴とする請求項２６に記載のシステム。
【手続補正書】
【提出日】平成23年7月7日(2011.7.7)
【手続補正１】
【補正対象書類名】特許請求の範囲
【補正対象項目名】請求項８
【補正方法】変更
【補正の内容】
【請求項８】
前記金属はニッケル、銅、金、銀、白金、鉄、アルミニウムまたはパラジウムを含む、請求項７に記載の方法。
【手続補正書】
【提出日】平成23年7月7日(2011.7.7)
【手続補正１】
【補正対象書類名】明細書
【補正対象項目名】００１１
【補正方法】変更
【補正の内容】
【００１１】
このことは、本発明の方法が特に効率よく実施されることを可能にする。Ｓｎ（ＩＶ）で汚染された濃塩酸を、精製のため、陰イオン交換体に流通させる。陰イオン交換体を再生しなければならない場合、Ｓｎ（ＩＶ）で汚染された濃塩酸を１〜１０重量％のＨＣｌ濃度まで水で希釈し、ヘキサクロロスズ酸塩として陰イオン交換体に結合しているＳｎ（ＩＶ）を溶離して陰イオン交換体を再生するため、陰イオン交換体に通過させる。陰イオン交換体を十分に再生すれば、Ｓｎ（ＩＶ）で汚染された濃塩酸に切り替えることが可能であり、Ｓｎ（ＩＶ）で汚染された濃塩酸の精製を再び続けることができる。
【手続補正２】
【補正対象書類名】明細書
【補正対象項目名】００１６
【補正方法】変更
【補正の内容】
【００１６】
イオン交換体を脱イオン水で再生する試みの間、再生の初期しか、スズがイオン交換体から除去されなかったことが示された。再生の開始時に、カラム内になお存在する塩酸がより低い濃度まで希釈され、これが初期の再生をもたらした（図１参照）。このことは、カラム排出物中のｐＨ値測定の際にも明らかになった。再生の開始時、これはまだ０以下であった。１より大きくなった後、更なる再生は検出できなかった。
【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
フィルタアセンブリを汚染物抑制媒体で充填する方法であって、
ａ）内部空洞と、前記内部空洞に連結する少なくとも１つの充填ポートと、開口部を少なくとも部分的に覆っているフィルタ媒体を有する前記開口部と、を有するハウジングを供給する工程と、
ｂ）汚染物抑制媒体を供給する工程と、
ｃ）空気が前記充填ポートを通って流れるように、前記フィルタ媒体を吸引して部分的に真空にして前記内部空洞内を負圧にする工程と、
ｄ）前記汚染物抑制媒体を前記内部空洞内に吸引する工程と、
を有することを特徴とする方法。
【請求項２】
前記フィルタ媒体は、ｅＰＴＦＥ（拡張ポリテトラフルオロエチレン）を含むことを特徴とする請求項１に記載の方法。
【請求項３】
前記汚染物抑制媒体は、活性炭、シリカゲル、およびそれらの組合せを含む吸着性物質であることを特徴とする請求項１に記載の方法。
【請求項４】
前記汚染物抑制媒体を前記内部空洞に吸引後に前記充填ポートをシールする工程をさらに含むことを特徴とする請求項１に記載の方法。
【請求項５】
前記少なくとも１つの充填ポートは、約０.５ミリメートル未満の直径を持つことを特徴とする請求項１に記載の方法。
【請求項６】
前記フィルタアセンブリは、電子機器の封入容器中に挿入するように構成されていることを特徴とする請求項１に記載の方法。
【請求項７】
汚染物抑制媒体の供給装置であって、
汚染物抑制媒体を保持する保持ユニットと、
前記汚染物抑制媒体を密封空間に充填するアセンブリと、
前記汚染物抑制媒体の前記密封空間への移動を容易にするように空気流を前記密封空間に生成するデバイスと、
を有することを特徴とする供給装置。
【請求項８】
前記密封空間に充填される充填量を規制する手段をさらに有することを特徴とする請求項７に記載の供給装置。
【請求項９】
圧縮空気または同等物によって前記密封空間中への前記汚染物抑制媒体の充填を容易にする手段をさらに含むことを特徴とする請求項７に記載の供給装置。
【請求項１０】
前記充填ポートを通過する空気流は、前記フィルタ媒体を部分的に真空にすることによって生成されることを特徴とする請求項７に記載の供給装置。
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
心臓手術用のカテーテルであって、
ルーメン径が少なくとも６フレンチの管状内側ライナと、
前記内側ライナの少なくとも一部を包囲するトルク伝達層であって、ワイヤメッシュに編組された少なくとも２つのフラットワイヤを備え、前記フラットワイヤが実質的に断面が矩形であり、かつ幅が少なくとも０．００７インチであり深さが少なくとも０．００３インチである、トルク伝達層と、
前記トルク伝達層の上に形成される外側シースと、
を具備しており、
前記内側ライナ及び前記外側シースが、カテーテル壁を画定しており、
前記カテーテル壁内に捕捉される少なくとも１つのプルワイヤを備えた操縦アセンブリを備えているカテーテル。
【請求項２】
前記管状内側ライナがポリマーであり、前記外側シースが溶融加工ポリマーを含む、請求項１に記載のカテーテル。
【請求項３】
前記溶融加工ポリマーが、前記トルク伝達層の前記ワイヤメッシュの複数の空隙をふさぐ、請求項２に記載のカテーテル。
【請求項４】
前記ルーメン径が７フレンチ〜３２フレンチの間である、請求項１に記載のカテーテル。
【請求項５】
前記少なくとも２つのフラットワイヤの幅と厚さの比が、少なくとも２：１である、請求項１に記載のカテーテル。
【請求項６】
前記幅と厚さの比が２：１〜５：１の間である、請求項５に記載のカテーテル。
【請求項７】
前記フラットワイヤが０．００４インチ厚さ×０．０１２インチ幅である、請求項１に記載のカテーテル。
【請求項８】
前記フラットワイヤが０．００４インチ厚さ×０．０２０インチ幅である、請求項１に記載のカテーテル。
【請求項９】
前記フラットワイヤがステンレス鋼を含む、請求項１に記載のカテーテル。
【請求項１０】
前記トルク伝達層の編組密度が５ＰＰＩ〜１００ＰＰＩの間である、請求項１に記載のカテーテル。
【請求項１１】
前記トルク伝達層が１オーバー・１アンダー・パターンで編組される、請求項１に記載のカテーテル。
【請求項１２】
前記トルク伝達層が、２オーバー・２アンダー・パターンで編組される少なくとも４本のフラットワイヤを含む、請求項１に記載のカテーテル。
【請求項１３】
当該カテーテルの遠位端に接合される非侵襲性先端をさらに具備する、請求項１に記載のカテーテル。
【請求項１４】
前記外側シースが、その長さに沿って硬度が変化する、請求項１に記載のカテーテル。
【請求項１５】
前記外側シースが、硬度特性が異なる複数のセグメントを含み、前記複数のセグメントが互いにリフロー接合される、請求項１４に記載のカテーテル。
【請求項１６】
前記外側シースが近位セグメントおよび遠位セグメントを含み、前記近位セグメントのデュロメータが前記遠位セグメントより高い、請求項１に記載のカテーテル。
【請求項１７】
前記トルク伝達層が当該カテーテルの前記遠位端に近接して終端する、請求項１に記載のカテーテル。
【請求項１８】
前記操縦アセンブリは、少なくとも１つのフラットプルワイヤを備えている、請求項１に記載のカテーテル。
【請求項１９】
前記少なくとも１つのフラットプルワイヤは、０．００４インチ厚さ×０．０１２インチ幅である、請求項１８に記載のカテーテル。
【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
流動経路を形成する内部管腔を有し、少なくとも１つの流入ポートが前記流動経路と連通し、少なくとも１つの流出ポートが前記流動経路と連通する延長部材であって、少なくとも１つの流入ポートが前眼房と連通し、少なくとも１つの流出ポートが脈絡膜上腔と連通し、前記前眼房と前記脈絡膜上腔との間に液体路を提供するような形で眼内に配設されるように構成されている延長部材と、
前記延長部材に取り付けられるヒドロゲル部材であって、眼内に延長部材を植設すると続いて拡張するように構成されているヒドロゲル部材と、
前記ヒドロゲル部材を前記延長部材に取り付けるアタッチメントと、を備え、
前記アタッチメントが、前記ヒドロゲル部材と前記延長部材との間に機械的アタッチメントを備え、前記機械的アタッチメントが、前記延長部材に取り付けられるケージを備え、前記ヒドロゲル部材が前記ケージの内部に配設されていることを特徴とする眼内植込み体。
【請求項２】
前記アタッチメントが前記延長部材上にアクリル樹脂の層を備え、前記アクリル樹脂が前記ヒドロゲル部材に取り付けられていることを特徴とする、請求項１に記載の眼内植込み体。
【請求項３】
前記アクリル樹脂が前記ヒドロゲル部材に架橋されていることを特徴とする、請求項２に記載の眼内植込み体。
【請求項４】
前記アクリル樹脂が、前記ヒドロゲル部材に重合されていることを特徴とする、請求項２に記載の眼内植込み体。
【請求項５】
前記ヒドロゲル部材が、前記ケージのスロットを通って拡張することを特徴とする、請求項１に記載の眼内植込み体。
【請求項６】
前記アタッチメントが、前記ヒドロゲル部材及び前記延長部材上にコートされた半透過性膜を備えていることを特徴とする、請求項１に記載の眼内植込み体。
【請求項７】
拡張時に前記膜が前記ヒドロゲルと一緒に拡張して前記ヒドロゲルを前記延長部材に係止することを特徴とする、請求項６に記載の眼内植込み体。
【請求項８】
前記ヒドロゲル部材が前記膜を介して水和できるようにするために、前記膜が透水性であることを特徴とする、請求項７に記載の眼内植込み体。
【請求項９】
前記ヒドロゲル上に配設された再吸収可能コーティングを更に備えていることを特徴とする、請求項１に記載の眼内植込み体。
【請求項１０】
前記再吸収可能コーティングが前記ヒドロゲル部材の拡張速度を調節することを特徴とする、請求項９に記載の眼内植込み体。
【請求項１１】
前記ヒドロゲル部材が、前記延長本体上に配設された外筒であることを特徴とする、請求項１に記載の眼内植込み体。
【請求項１２】
前記管状部材上に配設された一対のプレートを更に備え、
前記ヒドロゲル部材が前記プレート間に配設されていることを特徴とする、請求項１に記載の眼内植込み体。
【請求項１３】
前記ヒドロゲル部材は、前記ヒドロゲル部材の拡張時に前記植込み体の一部分を移動させることを特徴とする、請求項１に記載の眼内植込み体。
【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
電気エネルギ源と、
選択された距離の空隙によって分離され、近位端から遠位端に延びる２つの伝導体を含み、電気エネルギ源に動作可能に接続され、電気エネルギ源によって生成された電気エネルギを近位端で受けて、眼に位置決め可能な遠位端に電気エネルギを向ける電気エネルギ伝導エレメントと、
冷却剤供給部と、
冷却剤供給部と連通し、冷却剤パルスを遠位端に送出するように動作可能である少なくとも１つの冷却剤送出エレメントであって、２つの伝導体の間の空隙に冷却剤パルスを送出するように位置決めされる冷却剤送出エレメントと、を含み、
電気エネルギ伝導エレメント及び少なくとも１つの冷却剤送出エレメントが実質的に閉鎖されたアセンブリに含まれ、誘電材料が遠位端で底面を形成し、遠位端で眼の上に位置決めされる誘電材料に対し少なくとも１つの冷却剤送出エレメントが冷却剤パルスを付与し、少なくとも１つの冷却剤送出エレメントが誘電材料と眼との間に冷却剤層を形成せずに冷却剤を送出する、
眼の治療を行うためのシステム。
【請求項２】
少なくとも１つの冷却剤送出エレメントと、電気エネルギ伝導エレメントとに接続され、時間決めされたシーケンスで、少なくとも１つの冷却剤送出エレメントに信号を送信して、遠位端に冷却剤パルスを送出し、電気エネルギ源から伝導体に電気エネルギを送出して、遠位端に電気エネルギを送出するように動作可能であるコントローラをさらに含む、請求項１記載のシステム。
【請求項３】
電気エネルギ伝導エレメントが、実質的に円筒形の外部伝導体と、外部伝導体内に位置決めされた実質的に円筒形の内部伝導体とを含み、外部伝導体及び内部伝導体が、近位端から遠位端に延びる実質的に環状の空隙を画定し、少なくとも１つの冷却剤送出エレメントが実質的に環状の空隙内に冷却剤パルスを付与する、請求項１又は２記載のシステム。
【請求項４】
少なくとも１つの冷却剤送出エレメントが、ノズルと、電気的に制御されたソレノイド弁とを含む、請求項１〜３のいずれか一項記載のシステム。
【請求項５】
外側の環境と連通し、外側の環境に対して圧力の解放を提供する圧抜き構造をさらに含む、請求項１〜４のいずれか一項記載のシステム。
【請求項６】
圧抜き構造は、外側の環境と連通し、少なくとも１つの冷却剤送出エレメントから送出された冷却剤パルスからの圧力に応じて開くように適合された圧抜き弁である、請求項５記載のシステム。
【請求項７】
圧抜き構造は、外側の環境と連通する弁通路である、請求項５記載のシステム。
【請求項８】
少なくとも１つの冷却剤送出エレメントから遠位端に冷却剤パルスが送出されたとき、遠位端に低圧を生じさせて遠位端を気化冷却させる真空源をさらに含み、
真空源は、遠位端に位置決めされた開口を有する少なくとも１つの真空チャネルに結合されている、請求項１〜７のいずれか一項記載のシステム。
【請求項９】
真空チャネル開口が、眼に係合され、眼に冷却剤パルス及び電気エネルギパルスを送出するために遠位端に位置決めされるように適合される、請求項８記載のシステム。
【請求項１０】
真空チャネル開口が、少なくとも１つの冷却剤送出エレメントによって送出される冷却剤を引き出すように適合される、請求項８又は９記載のシステム。